(57)【要約】      （修正有）【課題】陰茎補綴物を提供する。【解決手段】陰茎補綴物１は、利用者自身が簡単に装着できる外部装着製品からなり、内部面２と外部面にて構成される長方形状のフレキシブルラテックス製の２つの層で構成され、補綴物の層の間に、フィン実体の互いに平行かつ等距離でであってもなくてもよくラテックスに固定された様々なフィン４が配置されることを特徴とし、上下側部端を画定する２つの接着エリア５は、その目的のため特定の接着剤を受け、その装着は陰嚢と包皮の間で陰茎周囲に補綴を位置させ、２つの接着エリアによって補綴を閉じることで行われる。【選択図】図１
2014097386.tif 000002
【特許請求の範囲】
【請求項１】
利用者自身が簡単に装着できる外部装着製品からなる陰茎補綴物（１）であって、内部面又は内部層（２）及び外部面又は外部層（３）の、好ましくはフレキシブルラテックス製の２つの層で形成された長方形状の本体で構成され、ラテックス製の２つの層の間には、ラテックスに固定された様々なフィン（４）が配置され、かつ上部と下部の側部端を画定する２つの接着エリア（５）も有していることを特徴とする陰茎補綴物。
【発明の詳細な説明】
【技術分野】
【０００１】
［序文］
本発明は陰茎補綴物に関するものである。陰茎補綴物は、長方形状のラテックス組織かつ適切なグラム重量で製造された外部補綴からなり、内部面と外部面の２つの面を備えた本体を構成する２つのラテックス層で形成され、補綴物の２つの面の間には、２つのラテックス層の間に固定された様々なフィンが互いにと外部端を画定する２つのエリアの間に平行に位置する。外部端を画定する２つのエリアは、両サイドを連結させ管状ジャケットを形成することをその目的として、特定の接着剤を受ける。
【０００２】
［適用分野］
本発明「陰茎補綴物」の適用分野は医療分野、好ましくは勃起機能不全分野及びバイオメカニック分野であり、本補綴物の開発は、それらの補綴物を移植補綴物の代用物として使用することを可能にする。
【０００３】
［目的］
この発明「陰茎補綴物」の主要目的の中でも特に際立っているのは、
−簡単かつ素早く陰茎周囲の外部で補綴物を調整すること。
−勃起及び挿入の問題を排除すること、である。
【背景技術】
【０００４】
従来技術において特筆すべきことは、勃起機能不全を治療するための市場には、手術法、装置、その他の手段において様々な選択肢が存在していることであり、特に血管移植など血管代用物の使用ニーズをもたらしている理由には、血栓塞栓症、動脈硬化症、血管狭窄症など様々な種類の疾患が含まれ、中でも心臓血管アテローム性動脈硬化症は西欧の人口全体が罹患する疾病による最大の死亡原因となっている。（非特許文献１、２）
【０００５】
市場ニーズを満たす製品の投入を目的として、ブラジル特許庁（ＩＮＰＩ）で登録された陰茎補綴物に関する特許及び出願を確認するため同庁のデータバンクで調査が行われた。
【０００６】
検索を行ったところ次の先行特許が見つかった。
特許文献１：「早漏及び勃起補助用の陰茎外部補綴システム」のタイトルで２００９年０８月２０日に登出願された特許文献が見つけられた。この特許文献によれば、この装置の使用は早漏を引き起こす性急な意志を抑えるのを助け、性急な感覚を抑制する上で利用者は優れた制御が行えるようになる、とのことである。このことは、専門医推奨の手による治療と結びついて、利用者又は患者に多大な恩恵をもたらし、物理的装置の補助により治療期間において性行為中の制御を高めることができる。補綴物は陰茎（Ｐ）に装着され、基部（３）が骨盤部位及び陰嚢上で支えられるように、ぴったり合わせて位置させる。避妊具を使用するつもりであれば、その避妊具は通常どおりに装着するが、締め付け部（５）により、避妊具のリングを環状空洞部（４）の内部に嵌るまで持ってくることで容易に行える。こうして性行為の準備が適切に整い、射精が行われても、この補綴物によって一定の勃起が保たれ、パートナーと一緒に性交の終点まで到達することができる。
【先行技術文献】
【特許文献】
【０００７】
【特許文献１】ＰＩ０９０３０３０−１
【非特許文献】
【０００８】
【非特許文献１】ＥＡＧＬＥ  ＫＡ  ｅｔ  ａｌ、２００４年
【非特許文献２】ＢＡＧＵＮＥＩＤＭＳ  ｅｔ  ａｌ、１９９９年
【発明の概要】
【発明が解決しようとする課題】
【０００９】
前記先行特許文献の概要分析から、本件出願には全く類似性がなく、したがって本件に対して付与査定に至るため技術的及び法律上の障害が存在しないのは明らかである。
【課題を解決するための手段】
【００１０】
本発明の陰茎補綴物の技術的改善点には次の特徴がある。
−管状包装型の外部補綴であり、その装着方法は、陰嚢と包皮の間で陰茎周囲に補綴を位置させ、２つの接着エリアによって補綴を閉じることで行われ、補綴は、これを構成する２つの層の間に固定されたフィンによって硬直状態に保たれる。
−本発明の補綴物は、勃起機能不全を患う人に適している。実施された調査では、勃起機能不全の７５％が何らかの器官的問題に、及び２５％が身体的要因に由来するものであり、この機能不全を患う男性の大部分が、糖尿病、冠状動脈症又は高血圧も患っている。長期の鬱病も勃起機能不全を発生しやすくし、タバコのほか、アルコール過多、運動不足、体重過多及び高コレステロールもインポテンツの直接的な原因となる。
−本発明の補綴物は、その剛性によって直ちに結果をもたらし、陰茎が半勃起状態であっても挿入実行を可能にする。
−本発明の補綴物は、あらゆる年齢の男性に装着可能であり、薬及び手術なしで正常な性的関係を保つことができる。
本発明の対象である陰茎補綴物がどのように構成されているかを全体的かつ完全に示すため、次の番号を付けた図を添付する。
【図面の簡単な説明】
【００１１】
【図１】開いた状態にあるラテックス補綴物の遠近法による概略図である。
【図２】補綴物の分解透視による概略図であり、内部と外部の２層、フィン及び接着エリア２箇所を示している。
【図３】陰茎に装着された補綴物の概略図を示している。
【発明を実施するための形態】
【００１２】
本明細書の一部をなす添付の図から判断して、陰茎補綴物（１）は、利用者自身が簡単に装着できる外部装着製品からなり、内部面又は内部層（２）及び外部面又は外部層（３）の、好ましくはフレキシブルラテックス製の２つの層で形成された長方形状の本体で構成され、ラテックス製の２つの層の間には、ラテックスに固定された様々なフィン（４）が配置されていることを特徴とする。
【００１３】
重要事項として指摘しておくと、フィン（４）の配置は、互いに平行かつ等距離であってもなくてもよく、また２つの接着エリア（５）は、一方を上側に、他方を下側にして互いに向き合う形で配置する。
【００１４】
この補綴物の形状が長方形であることから、装着行為を、陰嚢と包皮の間で陰茎の周囲に位置させて行い、２つの接着エリアを連結させることで閉じることが可能である、つまり補綴物が陰茎周囲で管状の包装を形成する。
【００１５】
［結論］
陰茎補綴物（１）に関する説明及び図解全体から、この補綴物が、市場に存在する大きな隙間を満たし、さらに、当該パラグラフで先に提示された利点を提供することから、発明特許を規定する法規の範囲内に完全に収まることが確認され、したがって特許を受けるに値する。
【符号の説明】
【００１６】
１：陰茎補綴物
２：内部面（内部層）
３：外部面（外部層）
４：フィン
５：接着エリア
【図１】
2014097386.tif 000003
【図２】
2014097386.tif 000004
【図３】
2014097386.tif 000005
【外国語明細書】
2014097386.tif 000006
2014097386.tif 000007
2014097386.tif 000008
2014097386.tif 000009
2014097386.tif 000010
2014097386.tif 000011
2014097386.tif 000012
2014097386.tif 000013